(57)【要約】      （修正有）【課題】全周囲の遠方からの視認性に優れ、かつ使用場面に応じてマーカーをパーツ単位で使用できるゴルフボールマーカーを提供する。【解決手段】貫通孔が形成された第１マーカー２と、貫通孔に挿入配置されるピン部を有する第２マーカー３とが、第１、第２マーカーの少なくともいずれか一方に設けられた着脱部によって着脱自在に構成され、第１マーカーの高さＨ１が第２マーカーのピン部を除いた高さＨ２よりも大きく構成される。高さ方向のサイズが大きいので、遠方からの視認性に優れる。かつパーツ単位で使用でき、例えば、嵩高いマーカーが邪魔なときは、サイズが小さい第２マーカーのみを使用する。【選択図】図１Ａ
0003192765.tif 000002
【実用新案登録請求の範囲】
【請求項１】
貫通孔が形成された第１マーカーと、
前記貫通孔に挿入配置されるピン部を有する第２マーカーとが、前記第１、第２マーカーの少なくともいずれか一方に設けられた着脱部によって着脱自在に構成され、かつ
前記第１マーカーの高さが前記第２マーカーの前記ピン部を除いた高さよりも大きく構成されることを特徴とするゴルフボールマーカー。
【請求項２】
前記着脱部は、前記貫通孔内に形成された突起部で構成され、当該突起部が前記第２マーカーの前記ピン部を押圧して固定することを特徴とする、請求項１に記載のゴルフボールマーカー。
【請求項３】
前記着脱部は、前記第１マーカーの天面部あるいは天面部内部に設けられた磁性体で構成され、当該磁性体に作用する金属部を前記第２マーカーの本体部に設けたこと、あるいは金属部で前記本体部を構成したことを特徴とする請求項１または２に記載のゴルフボールマーカー。
【請求項４】
前記着脱部は、前記第１マーカーの前記貫通孔表面に設けられた磁性体で構成され、当該磁性体に作用する金属部を前記第２マーカーの前記ピン部に設けたこと、あるいは金属部で前記ピン部を構成したことを特徴とする請求項１または２に記載のゴルフボールマーカー。
【請求項５】
前記第１マーカーは、少なくとも前記貫通孔表面の一部または全部がゴム材料で構成され、および／または、前記第２マーカーは、少なくとも前記ピン部表面の一部または全部がゴム材料で構成される、請求項１または２に記載のゴルフマーカー。
【請求項６】
前記第１マーカーは、底面から延設される突起部をさらに有する、請求項１または２に記載のゴルフマーカー。
【請求項７】
前記第２マーカーの前記ピン部は、前記第１マーカーの底面よりも延設される、請求項１または６に記載のゴルフマーカー。
【考案の詳細な説明】
【技術分野】
【０００１】
本考案は、ゴルフボールのマーカーに関する。
【背景技術】
【０００２】
ゴルフでは、グリーン上のゴルフボールをマーキングするときにマーカーを使用する。このマーカーは種々のものがある。例えば、特許文献１のマーカーは、土の上に載置されるマーカー部と土に差し込まれる差込ピン部とからなる。特許文献２のマーカーは、円盤部分と突起部分とからなる。特許文献１のマーカー部と特許文献２の円盤部分はいずれも薄く平坦であり、高さ方向サイズが小さいため、遠方からの視認性に劣るものであった。
【０００３】
一方、特許文献３は、遠方からの視認性がよくなるように、同じ形状のマーカー同士を上下方向に積み重ねた構成である。具体的には、平板部の上面に形成された嵌着孔に、平板部の中央から垂設された軸部の先端嵌着部が嵌着孔に嵌着されることで複数のマーカーが高さ方向に延設される。
【先行技術文献】
【特許文献】
【０００４】
【特許文献１】特開２０００−７０４２２号公報
【特許文献２】特開平１１−３０９２２８号公報
【特許文献３】特開２００３−３０５１４４号公報
【考案の概要】
【考案が解決しようとする課題】
【０００５】
本考案は、上記現状に鑑みてなされたものであって、全周囲の遠方からの視認性に優れ、かつ使用場面に応じてマーカーをパーツ単位で使用できるゴルフボールマーカーを提供することを目的とする。
【課題を解決するための手段】
【０００６】
上記課題を解決するための本考案は、貫通孔が形成された第１マーカーと、前記貫通孔に挿入配置されるピン部を有する第２マーカーとが、前記第１、第２マーカーの少なくともいずれか一方に設けられた着脱部によって着脱自在に構成され、かつ前記第１マーカーの高さが前記第２マーカーの前記ピン部を除いた高さよりも大きく構成されることを特徴とするゴルフボールマーカーである。
【０００７】
この構成によれば、高さ方向のサイズが大きいので、全周囲の遠方からの視認性に優れ、かつ使用場面に応じてマーカーをパーツ単位で使用できる。例えば、嵩高いマーカーが邪魔なときは、高さ方向のサイズが小さい第２マーカーのみを使用する。また、嵩高いマーカーのみを使用することができる。また、第１マーカーの貫通部に第２マーカーのピン部を挿入させる簡単な構造とすることで、２パーツの重ね合わせを簡単にでき、両者間の横ズレを防止し、持ち運び性に優れたものとなっている。
【０００８】
上記考案の一実施形態として、前記着脱部は、前記貫通孔内に形成された突起部で構成され、当該突起部が前記第２マーカーの前記ピン部を押圧して固定することを特徴とする。別実施形態として、前記着脱部は、前記ピン部に形成された突起部で構成され、当該突起部が前記第１マーカーの前記貫通孔壁面を押圧して固定する構成である。
【０００９】
この構成によれば、突起部とピン部とが接触し、突起部の弾性圧力および／またはピン部の弾性圧力によって、お互いの動きが固定されるので、第１マーカーと第２マーカーとを着脱自在に構成できる。上記実施形態において、第１マーカーおよび第２マーカーはプラスチック樹脂材料で構成されることが好ましいが、そのいずれか一方あるいは両方が、ゴム材料、プラスチック材料、金属材料、木材、鉱物の単体であるいはそれらの組み合わせで構成してもよい。
【００１０】
上記考案の一実施形態として、前記着脱部は、前記第１マーカーの天面部（あるいは上部）あるいは天面部（あるいは上部）内部に設けられた磁性体で構成され、当該磁性体に作用する金属部を前記第２マーカーの本体部に設けたこと、あるいは金属部で前記本体部を構成したことを特徴とする。また、別実施形態として、前記着脱部は、前記第２マーカーの本体部の少なくとも底面部に磁性体を設け、当該磁性体と作用する金属部を前記第１マーカーの天面部（あるいは上部）あるいは天面部（あるいは上部）内部に設けることを特徴とする。
【００１１】
この構成によれば、磁性体と金属部とで第１マーカーと第２マーカーとを着脱自在にできるので好ましい。第１マーカーに設けられる磁性体としては、例えば磁石、マグネットシートなどが挙げられる。
【００１２】
上記考案の一実施形態として、前記着脱部は、前記第１マーカーの前記貫通孔表面に設けられた磁性体で構成され、当該磁性体に作用する金属部を前記第２マーカーの前記ピン部に設けたこと、あるいは金属部で前記ピン部を構成したことを特徴とする。
【００１３】
この構成によれば、磁性体と金属部とで第１マーカーと第２マーカーとを着脱自在にできるので好ましい。また、磁性体と金属に限定されず、お互いに作用しあう磁性体をそれぞれ第１マーカーと第２マーカーに設けてもよく、例えば、一方にＮ極磁石、他方にＳ極磁石を設けてもよい。
【００１４】
上記考案の一実施形態として、前記第１マーカーは、少なくとも前記貫通孔表面の一部または全部がゴム材料で構成され、および／または、前記第２マーカーは、少なくとも前記ピン部表面の一部または全部がゴム材料で構成される。また、前記貫通孔に形成された前記突起部の前記ピン部と接触する部分が、ゴム材料で構成されていてもよい。
【００１５】
この構成によれば、着脱部の機能を貫通孔とピン部との間の表面摩擦力によって構成している。ゴム材料としては、例えば、天然ゴミ、合成ゴムが挙げられ。合成ゴムとして、例えば、アクリルゴム、ニトリルゴム、イソピレンゴム、ウレタンゴム、エチレンプロピレンゴム、シリコーンゴムなどが挙げられる。合成ゴムは１種もしくは２種以上が含まれていてもよい。
【００１６】
上記考案の一実施形態として、前記第１マーカーは、底面から延設される突起部をさらに有する。突起部は、１つでもよいが、複数個も設けるほうが好ましい。
【００１７】
この構成によれば、上記突起部を地面に差し込むことで、確実に載置できる。
【００１８】
上記考案の一実施形態として、前記第２マーカーの前記ピン部は、前記第１マーカーの底面よりも延設される。
【００１９】
この構成によれば、第２マーカーのみを地面に載置する場合には、第２マーカーのピン部を地面に差し込むことで、確実に載置できる。第１マーカーの底面から突起部先端までの距離およびその底面からピン部先端までの距離が同じ（例えば、０．１ｍｍ〜３０ｍｍ）であることが好ましい。
【００２０】
本考案において、第１マーカーの形状は特に制限されないが、例えば、台錐、多角錐や、その正面視で矩形、円形、多角形でもよく、その貫通孔の中心軸に沿った垂直断面の形状が、台形、階段形状、ピラミッドの垂直断面の形状でもよく、動物を真似た形状、自然物を真似た形状でもよい。
【００２１】
第１マーカーの貫通孔は、垂直方向に直線で形成されていることが好ましいが、貫通孔が曲線を有していてもよく、貫通孔はその断面形状が例えば、円形、多角形、楕円形、異形などが挙げられる。また、加工性の観点から貫通孔はその断面形状は、円形が好ましく、貫通孔の形状は円柱、台推形状が好ましい。また、第１マーカーの中心部あるいは重心部を通ることが好ましい。別実施形態として、第１マーカーの貫通孔は、上から下に向かって傾斜して延びていてもよく、第１マーカーに対して横に伸びていてもよい。
【００２２】
上記考案の一実施形態として、前記着脱部は、前記貫通孔に雌ネジ部を形成し、前記ピン部に雄ネジ部を形成して構成される。この構成では、ネジによる螺合で着脱自在に構成される。
【００２３】
上記考案の一実施形態として、第１マーカーの高さが、第２マーカーの前記ピン部を除いた高さよりも１．５倍以上が好ましく、２倍以上がより好ましく、３倍以上がさらに好ましい。第１マーカーと第２マーカーを連結した状態で、地面に置いたときの地面からの最大の高さは、マーカー機能、持ち運び性、製造コストの観点から、１００ｍｍ以下であり、５０ｍｍ以下が好ましく、３０ｍｍ以下がより好ましく、例えば、１０ｍｍ、２０ｍｍが例示される。
【００２４】
上記考案の一実施形態として、地面に置いたときの地面からの第１マーカーの高さは、例えば、５ｍｍ、８ｍｍ、１０ｍｍ、１５ｍｍ、２０ｍｍ、２５ｍｍ、３０ｍｍが挙げられる。このときの第２マーカーのピン部を除いた高さ（第１マーカーに連結したときの高さ）が、第１マーカーの高さより小さくて、例えば、１．０ｍｍ、１．５ｍｍ、２．０ｍｍ、２．５ｍｍ、３．０ｍｍ、３．５ｍｍなどが挙げられる。
【００２５】
また、他のゴルフマーカーは、第１マーカーと、前記第１マーカーの高さよりも大きい高さの第２マーカーとから構成され、かつ、前記第１マーカーの天面部（あるいは上部）あるいは天面部（あるいは上部）内部に磁性体が設けられ、当該磁性体に作用する金属部が前記第２マーカーの本体部に設けられ、あるいは金属部で前記本体部が構成されることを特徴とする。
【００２６】
また、他のゴルフマーカーは、第１マーカーと、前記第１マーカーの高さよりも大きい高さの第２マーカーとから構成され、かつ前記第２マーカーの本体部の少なくとも底面部に磁性体が設けられ、当該磁性体と作用する金属部が前記第１マーカーの天面部（あるいは上部）あるいは天面部（あるいは上部）内部に設けられたことを特徴とする。
【図面の簡単な説明】
【００２７】
【図１Ａ】実施形態１のボールマーカー（連結状態）を示す図である。
【図１Ｂ】実施形態１の第１マーカー、第２マーカーを示す図である。
【図２Ａ】実施形態２のボールマーカー（連結状態）を示す図である。
【図２Ｂ】実施形態２の第１マーカー、第２マーカーを示す図である。
【図３】別例の第１マーカーを示す図である。
【図４】別例の第２マーカーを示す図である。
【図５】別例の突起部を示す図である。
【図６】地面用突起部の一例を示す図である。
【考案を実施するための形態】
【００２８】
（実施形態１）
実施形態１のボールマーカーについて図面を用いて説明する。図１Ａは、連結した状態のボールマーカー１を示し、図１Ｂは、第１マーカー２（断面図）、第２マーカー３（側面図）をそれぞれ示す。図１Ｂにおいて、ボールマーカー１は、貫通孔２１が形成された第１マーカー２と、貫通孔２１に挿入配置されるピン部３１を有する第２マーカー３とが連結されている。第１マーカー２には着脱部が設けられている。この着脱部によって第１マーカー２と第２マーカー３とが着脱自在になっている。第１マーカー２は、５つの直径の異なる円柱形状が直径の降順に積層されたような形状である。第２マーカー３の本体部３０は平たんなコイン状（薄い円柱形状）である。
【００２９】
図１Ａ，１Ｂにおいて、上記着脱部は、貫通孔２１内に形成された複数の突起部２２で構成される。この突起部２２が第２マーカー３のピン部３１を押圧することで、第２マーカー３が第１マーカー２に連結固定され、衝撃によってお互いが外れないようになっている。この突起部２２は、貫通孔２１の内周面に複数個形成されている。なお、図１Ａ，１Ｂでは、貫通孔２１の内周面に沿って１個の突起部を形成していてもよい。
【００３０】
第１マーカー２の高さＨ１が１００ｍｍ（あるいは１００ｍｍ以内）であり、第２マーカー３のピン部３１を除いた高さＨ２が２．０ｍｍ（あるいは１．０ｍｍ〜２０．０ｍｍ以内）である。図１Ａにおいて、ピン部３１が貫通孔２１に挿入されたときに、ピン部３１の先端が貫通孔２１から突出せずに、貫通孔２１内部に配置される。なお、ピン部３１の先端が貫通孔２１から突出するようにして、ピン部３１が地面に突き刺さるように構成してもよい。
【００３１】
図１Ａでは、第２マーカー３の幅（円の直径）と、第１マーカー２の上部２３の幅（円の直径）が同じ大きさに形成しているが、これに制限されず、第２マーカー３の幅（円の直径）が第１マーカー２の上部２３の幅（円の直径）よりも大きくてもよく、小さくてもよい。図１Ｂにおいて、貫通孔２１のピン部３１の入口部２３１は、ピン部３１の挿入を容易にすべくＲ形成あるいはテーパー形成されている。
【００３２】
別実施形態として、ピン部３１に突起部を形成していてもよい。また、貫通孔２１およびピン部３１の両方に突起部を形成してもよい。また、貫通孔２１あるいはピン部３１のいずれか一方に凸形状の突起部を形成し、この突起部に係合する凹形状の溝部あるいは窪み部をその他方に形成してもよい。
【００３３】
（実施形態２）
実施形態２のボールマーカーについて図面を用いて説明する。図２Ａは、連結した状態のボールマーカー１を示し、図２Ｂは、第１マーカー２（断面図）、第２マーカー３（側面図）をそれぞれ示す。実施形態１と異なる構成について説明し、同じ構成要素（同じ符号）の説明は省略あるいは簡単に説明する。
【００３４】
第１マーカー２の上部２３にリング状の磁石２４が設けられている（あるいは上部２３の内部に埋め込まれている）。磁石２４と作用する金属部３０ａを第２マーカー３の本体部３０の底面に形成している。磁石２４と金属部３０ａとが作用し着脱自在に固定される。なお、金属部３０ａを第２マーカー３の本体部３０の底面に少なくとも形成していればよく、第２マーカー３の全体（あるいは本体部３０）を金属材料（磁性材料）で構成してもよい。
【００３５】
上記実施形態２では、第１マーカーに貫通部と、第２マーカーにピン部とがそれぞれ形成されている。別例として、第１マーカーに貫通部が形成されておらず、第２マーカーにピン部が形成されていない構成がある。
【００３６】
（実施形態３）
実施形態１では貫通孔２１内に突起部２２を設け、実施形態２では磁石２４を設けていたが、実施形態３では、突起部２２、磁石２４を設けることなく、第１マーカーと第２マーカーとの着脱を可能にしている。
【００３７】
第１マーカーの貫通孔表面全部をゴム材料で構成し、第２マーカーのピン部表面全部をゴム材料で構成した。これによって、貫通孔表面とピン部表面の摩擦力が大きくなって、好適な着脱が可能になる。
【００３８】
また、別実施形態として、第１マーカーの貫通孔表面の一部をゴム材料で構成し、第２マーカーのピン部表面の一部をゴム材料で構成してもよい。また、第１マーカーをゴム材料で構成し、第２マーカーのピン部をゴム材料で構成してもよい。また、第１マーカー、第２マーカーのいずれか一方または両方をゴム材料で構成してもよい。
【００３９】
（実施形態４）
実施形態４は、上記実施形態１〜３における第１マーカーの底面に、地面に差し込むための地面用突起部を複数個設けている。図６に、その地面用突起部２６の一例を示す。また、図６では、第２マーカーのピン部３１の先端３１１が地面突起部２６の先端と同じ長さにまで延設されている。
【００４０】
（別実施形態）
実施形態１、２の着脱部の替りに、貫通孔２１に雌ネジ部を形成し、ピン部３１に雄ネジ部を形成して構成してもよい。
【００４１】
また、第１マーカー２の形状は、上記実施形態１，２に限定されず、図３（ａ）のように、垂直断面が台形の、外観形状が台錘形状でもよく、図３（ｂ）のように、垂直断面が矩形の外観形状が円柱形状でもよく、図３（ｃ）のように、正面視で異形（例えば、ハート形、星形）となる、異形柱形状でもよい。第１マーカー２は、外観形状を維持できだけの肉厚を形成していればよく、部分的に空洞（肉盗み部）が形成されていてもよい。
【００４２】
また、第２マーカー３の形状は、上記実施形態１，２に限定されず、図４（ａ）のように、ドーム形状でもよく、図４（ｂ）のように、天面の正面視が星形でもよく、図４（ｃ）のように、天面の正面視がハート形（図３（ｃ）に対応した形状）でもよい。
【００４３】
また、図５に突起部２２の形状例を示す。図５（ａ）は、貫通孔２１の長手方向に伸びる凸状の突起部２２を４個形成している。この突起部２２は例えば、１〜１６個の範囲で形成してもよい。また、貫通孔２１の長手方向に伸びる突起部２２が１個以上でもよい。図５（ｂ）に示す突起部２２は、貫通孔２１の内面周りに形成された８個の羽根形状として構成されている。図５（ｂ）において羽根形状は８個であるが、この羽根形状を１〜１６個の範囲で形成してもよい。
【００４４】
また、マーカー１は、実施形態１および図５の突起部による着脱自在の構成と、実施形態２の磁石による着脱自在の構成を両方備えていても良い。
【００４５】
また、マーカー１は、他の着脱自在の構成を備えていてもよい。例えば、第１マーカーの側面にネジ穴を設け、ネジで第２マーカーのピン部を押さえて固定してもよい。また、第１マーカーの側面と第２マーカーのピン部に貫通穴を設け、出し入れ出来る棒状の部材で、第１、２マーカーを着脱自在に固定してもよい。
【符号の説明】
【００４６】
１      ボールマーカー
２      第１マーカー
２１    貫通孔
２２    突起部
２４    磁石
２６    地面用突起部
３      第２マーカー
３０    本体部
３０ａ  金属部
３１    ピン部
３１１  ピン部の先端
【図５】
0003192765.tif 000003
【図１Ａ】
0003192765.tif 000004
【図１Ｂ】
0003192765.tif 000005
【図２Ａ】
0003192765.tif 000006
【図２Ｂ】
0003192765.tif 000007
【図３】
0003192765.tif 000008
【図４】
0003192765.tif 000009
【図６】
0003192765.tif 000010